(57)【特許請求の範囲】
【請求項１】
少なくとも送信側の操作表示部で複数の伝送パラメータを設定し、該設定された複数の伝送パラメータで前記送信側から受信側へ信号伝送を行う伝送装置において、
少なくとも前記送信側に、外部から入力された複数の伝送パラメータと、前記操作表示部で設定された複数の伝送パラメータの内の一方を選択する伝送パラメータ選択部と、該伝送パラメータ選択部で選択した前記複数の伝送パラメータで信号伝送を行わせる動作制御部と、前記伝送パラメータ選択部で選択された複数の伝送パラメータに基づき、前記操作表示部による前記各伝送パラメータの表示形態を切り換えさせる表示制御部とを備え、
前記操作表示部で設定された複数の伝送パラメータだけでなく、外部から入力された複数の伝送パラメータでも信号伝送を行い、前記外部から入力された複数の伝送パラメータの表示形態と、前記操作表示部で設定された複数の伝送パラメータの表示形態とが異なるように前記操作表示部に表示させるように構成したことを特徴とする伝送装置。
【発明の詳細な説明】
【技術分野】
【０００１】
本発明は、送信側から受信側へ信号伝送を行う伝送装置に係り、更に詳しくは、信号伝送前に行う各伝送パラメータの設定に関するものである。
【背景技術】
【０００２】
従来の一例である伝送装置について、図２３を用いて説明する。図２３は従来の一例である伝送装置の構成を示すブロック図である。送信側伝送装置は送信制御部２３０１と送信高周波部２３０２とから構成されており、受信側伝送装置は受信高周波部２３０３と受信制御部２３０４とから構成されている。送信制御部２３０１は、入力信号である映像信号、音声信号を所定の変調モード（例えば、６４ＱＡＭ（Quadrature Amplitude Modulation）方式）で変調し、ＩＦ（Intermediate Frequency：中間周波数）帯に周波数変換する。送信高周波部２３０２は、ＩＦ信号（ＩＦ帯に周波数変換された信号）をＲＦ（Radio Frequency：無線周波数）信号まで周波数変換し、電力増幅して送信する。受信高周波部２３０３は、ＲＦ信号を受信後、低雑音増幅、受信レベル制御を行い、周波数変換することでＩＦ信号に変換する。そして、受信制御部２３０４は、ＩＦ信号を所定の復調モード（例えば、６４ＱＡＭ方式）で復調することにより得られた映像信号、音声信号を出力する。そして、送信制御部２３０１の操作表示部には、伝送パラメータとして、例えば、伝送ビットレート、変調方式、使用するチャンネルを、受信制御部２３０４の操作表示部には、伝送パラメータとして、例えば、伝送ビットレート、復調方式、使用するチャンネルを表示する。これらの伝送パラメータは、送信制御部２３０１の操作表示部、受信制御部２３０４の操作表示部を操作者が信号伝送前に操作することにより、設定される。
【特許文献１】特開２００３−１１５７８７号公報
【非特許文献１】テレビジョン放送番組素材伝送用可搬形ＯＦＤＭ方式デジタル無線伝送システムの規格ＡＲＩＢ  ＳＴＤ−Ｂ３３
【非特許文献２】テレビジョン放送番組素材伝送用可搬形マイクロ波帯デジタル無線伝送システムの規格ＡＲＩＢ  ＳＴＤ−Ｂ１１
【発明の開示】
【発明が解決しようとする課題】
【０００３】
前述の従来の伝送装置では、操作表示部を操作して伝送パラメータを設定するため、例えば、送信側伝送装置（送信制御部、送信高周波部）をヘリコプタに搭載し、受信側伝送装置（受信高周波部、受信制御部）を基地局に設置して運用した場合、送信側伝送装置（送信制御部、送信高周波部）は、他の機器類と共にヘリコプタ後方のトランクルームに設置され、このトランクルーム内は操作者が移動困難なほど機器類が密集しているため、ヘリコプタ内での伝送パラメータの設定は、極めて困難であるという欠点がある。
【０００４】
そこで本発明では、前述の欠点を除去することにより、送信側伝送装置をヘリコプタに搭載した後でも伝送パラメータの設定を行える伝送装置を提供することを目的とする。
【課題を解決するための手段】
【０００５】
本発明は前述の目的を達成するために、少なくとも送信側の操作表示部で複数の伝送パラメータを設定し、該設定された複数の伝送パラメータで前記送信側から受信側へ信号伝送を行う伝送装置において、少なくとも前記送信側に、外部から入力された複数の伝送パラメータと、前記操作表示部で設定された複数の伝送パラメータの内の一方を選択する伝送パラメータ選択部と、該伝送パラメータ選択部で選択した前記複数の伝送パラメータで信号伝送を行わせる動作制御部を備え、前記操作表示部で設定された複数の伝送パラメータだけでなく、外部から入力された複数の伝送パラメータでも信号伝送を行うように構成したものである。
【０００６】
更に詳しくは、前記伝送パラメータ選択部で選択された複数の伝送パラメータに基づき、前記操作表示部による前記各伝送パラメータの表示形態を切り換えさせる表示制御部を備え、前記外部から入力された複数の伝送パラメータの表示形態と、前記操作表示部で設定された複数の伝送パラメータの表示形態とが異なるように前記操作表示部に表示させるように構成したものである。
【発明の効果】
【０００７】
本発明によれば、送信側伝送装置の操作表示部でのみ複数の伝送パラメータを設定するのでなく、外部からでも複数の伝送パラメータの設定を行うことができるようになったことにより、例えば、送信側伝送装置をヘリコプタに搭載し、受信側伝送装置を基地局に設置して運用した場合であっても、送信側伝送装置に接続され、ヘリコプタ前方の乗務員室に設置された外部装置（例えば、パソコン）を操作することにより、ヘリコプタ後方に配置された送信側伝送装置の伝送パラメータを設定することができる。
【０００８】
更に、送信側伝送装置の操作表示部で設定した伝送パラメータと、外部から入力された伝送パラメータ（例えば、パソコン等の外部装置で設定した伝送パラメータ）とで表示形態が異なるように操作表示部に表示する。例えば、外部装置で設定するときは先頭に＊を付けて伝送パラメータを表示するのに対し、操作表示部で設定するときは先頭に＊を付けないで伝送パラメータを表示する。これにより、ヘリコプタに送信側伝送装置を搭載する前に、各伝送パラメータの設定モードを、即ち、外部装置で設定するモードであるかそれとも操作表示部で設定するモードであるかを操作者が操作表示部を見て確認することができる。その結果、各伝送パラメータの設定モードが正しく設定されているか否かを、送信側伝送装置をヘリコプタに搭載する前に確認することができるため、ヘリコプタ搭載後の伝送パラメータの設定を外部装置（例えば、パソコン）から行うことができる。
【発明を実施するための最良の形態】
【０００９】
以下、本発明の一実施例である伝送装置として、シングルＱＡＭ方式、ＯＦＤＭ（Orthogonal Frequency Division Multiplexing）方式、アナログ変調方式の伝送モードを有する伝送装置について、図１、２を用いて説明する。図１は、本実施例の送信側伝送装置の構成を示すブロック図、図２は、本実施例の受信側伝送装置の構成を示すブロック図である。本実施例の伝送装置では、送信側伝送装置の場合、まず、操作者が操作パネル１０１を操作するか、または、ケーブル１１８を介して送信側伝送装置（例えば、ヘリコプタの後方のトランクルームに設置された送信側伝送装置）内の設定モード切換部１１６に接続されたパソコン１１９（例えば、ヘリコプタの前方の乗務員室に設置されたパソコン）を操作することにより、設定された伝送パラメータは動作制御部１０２及び表示制御部１１７に記憶される。なお、伝送パラメータを操作パネル１０１で設定するかそれともパソコン１１９で設定するかの切換は、即ち、設定モードの切換は、設定モード切換部１１６を操作者が操作することにより行う（なお、操作パネル１０１にリモート設定スイッチを設け、このリモート設定スイッチの状態に応じて設定モード切換部１１６で設定モードを切り換えるようにしても良い）。そして、記憶された伝送パラメータで無線伝送を行わせるように動作制御部１０２は各スイッチ、各信号処理部（シングルＱＡＭ方式処理部１０７、ＯＦＤＭ方式処理部１０８、アナログ方式処理部１１０）を制御する。例えば、本実施例の送信側伝送装置ではシングルＱＡＭ方式、ＯＦＤＭ方式、アナログ変調方式の伝送モードを有することにより、伝送モードに応じて、アナログ／デジタル選択スイッチ１０３、１０４、シングルＱＡＭ／ＯＦＤＭ選択スイッチ１０５、１０６を制御することにより、伝送モードに応じた信号処理を行わせるように信号経路を切り換える。一方、表示制御部１１７は、記憶された伝送パラメータを操作パネル１０１及びパソコン１１９に表示させる。なお、本実施例の送信側伝送装置では、各信号処理部を制御する動作制御部１０２と伝送パラメータの表示制御を行う表示制御部１１７とを有しているが、各信号処理部を制御すると共に伝送パラメータの表示制御を行う制御部を、動作制御部１０２、表示制御部１１７の代わりに設けるようにしても良い。
【００１０】
本実施例の送信側伝送装置の概略動作について説明する。伝送モードに応じて信号経路が切り換えられることにより、シングルＱＡＭ方式処理部１０７、ＯＦＤＭ方式処理部１０８には、ＭＰＥＧ（Moving Picture Experts Group）エンコーダ１０９で生成されたＴＳ（Transport Stream）形式のデジタル信号Ｄが入力され、アナログ方式処理部１１０には標準テレビ信号（以下、ＮＴＳＣ（National Television Standards Committee）映像信号と称する）とアナログ音声信号が入力される。なお、ＴＳ形式のデジタル信号Ｄは、ＳＤＩ（Serial Digital Interface）信号（デジタル映像信号）と、オーディオＡ／Ｄ１１１でＡ／Ｄ変換された音声信号とが、ＭＰＥＧ−２符号化方式で符号化され多重されることにより生成される。そして、シングルＱＡＭ方式処理部１０７、ＯＦＤＭ方式処理部１０８からの出力信号は、Ｄ／Ａコンバータ１１２でＤ／Ａ変換されると共に局部発振器１１３出力の局発信号と混合されることで、例えば周波数１３０ＭＨｚのＩＦ信号に変換され、送信高周波部１１４に出力される。一方、アナログ方式処理部１１０からの出力信号は、直接、送信高周波部１１４に出力される。なお、アナログ方式処理部１１０からの出力信号も、例えば周波数１３０ＭＨｚのＩＦ信号である。送信高周波部１１４では、ＩＦ信号をＲＦ信号に周波数変換して、送信する。更に、伝送モード以外でも、操作パネル１０１またはパソコン１１９で設定された伝送パラメータに従って、動作制御部１０２はシングルＱＡＭ方式処理部１０７、ＯＦＤＭ方式処理部１０８、アナログ方式処理部１１０を制御する。なお、伝送モード以外で操作パネル１０１またはパソコン１１９により設定された伝送パラメータに従って動作するシングルＱＡＭ方式処理部１０７、ＯＦＤＭ方式処理部１０８、アナログ方式処理部１１０の構成については、後で詳述する。
【００１１】
受信側伝送装置の場合も同様にして、操作者が操作パネル２０１またはパソコン２１９を操作することにより設定された伝送パラメータは動作制御部２０２及び表示制御部２１７に記憶される。なお、伝送パラメータを操作パネル２０１で設定するかそれともパソコン２１９で設定するかの切換は、即ち、設定モードの切換は、設定モード切換部２１６を操作者が操作することにより行う（なお、操作パネル２０１にリモート設定スイッチを設け、このリモート設定スイッチの状態に応じて設定モード切換部２１６が設定モードを切り換えるようにしても良い）。そして、記憶された伝送パラメータで信号処理させるように動作制御部２０２は、各スイッチ、各信号処理部（シングルＱＡＭ方式処理部２０７、ＯＦＤＭ方式処理部２０８、アナログ方式処理部２０９）を制御する。例えば、本実施例の受信側伝送装置では、シングルＱＡＭ方式、ＯＦＤＭ方式、アナログ復調方式の伝送モードを有していることにより、伝送モードに応じて、アナログ／デジタル選択スイッチ２０３、２０４、シングルＱＡＭ／ＯＦＤＭ選択スイッチ２０５、２０６を制御することにより、伝送モードに応じた信号処理を行わせるように信号経路を切り換える。一方、表示制御部２１７は、記憶された伝送パラメータを操作パネル２０１及びパソコン２１９に表示させる。なお、本実施例の受信側伝送装置では、各信号処理部を制御する動作制御部２０２と伝送パラメータの表示制御を行う表示制御部２１７とを有しているが、各信号処理部を制御すると共に伝送パラメータの表示制御を行う制御部を、動作制御部２０２、表示制御部２１７の代わりに設けるようにしても良い。
【００１２】
本実施例の受信側伝送装置の概略動作について説明する。伝送モードに応じて信号経路が切り換えられることにより、受信したＲＦ信号は受信高周波部２１０で例えば、１３０ＭＨｚのＩＦ信号に変換された後、例えば、伝送モードがシングルＱＡＭ方式である場合、１３０ＭＨｚのＩＦ信号（受信高周波部２１０の出力信号）は局部発振器２１１出力の局発信号と混合されると共にＡ／Ｄコンバータ２１２でＡ／Ｄ変換され、シングルＱＡＭ方式処理部２０７に入力される。そして、シングルＱＡＭ方式処理部２０７においてシングルＱＡＭ方式で復調処理されることにより、ＴＳ形式のデジタル信号Ｄが出力される。シングルＱＡＭ方式処理部２０７からのＴＳ形式のデジタル信号Ｄは、ＭＰＥＧデコーダ部２１３でＭＰＥＧエンコーダ１０９と逆の処理を行うことにより、ＳＤＩ信号（デジタル映像信号）とデジタル音声信号とに変換されて出力される。デジタル音声信号は、オーディオＤ／Ａ２１４でアナログ音声信号に変換される。
【００１３】
例えば、伝送モードがＯＦＤＭ方式である場合、前述の１３０ＭＨｚのＩＦ信号（受信高周波部２１０の出力信号）は局部発振器２１１出力の局発信号と混合されると共にＡ／Ｄコンバータ２１２でＡ／Ｄ変換され、ＯＦＤＭ方式処理部２０８に入力される。そして、ＯＦＤＭ方式処理部２０８においてＯＦＤＭ方式で復調処理されることにより、ＴＳ形式のデジタル信号Ｄが出力される。ＯＦＤＭ方式処理部２０８からのＴＳ形式のデジタル信号Ｄは、ＭＰＥＧデコーダ部２１３がＭＰＥＧエンコーダ１０９と逆の処理を行うことにより、ＳＤＩ信号（デジタル映像信号）とデジタル音声信号に変換されて出力される。デジタル音声信号は、オーディオＤ／Ａ２１４でアナログ音声信号に変換される。
【００１４】
例えば、伝送モードがアナログ復調方式である場合、前述の１３０ＭＨｚのＩＦ信号（受信高周波部２１０の出力信号）は、アナログ方式処理部２０９に入力されることでアナログ復調処理されることにより、アナログ方式処理部２０９からはＮＴＳＣ映像信号とアナログ音声信号が出力される。
【００１５】
そして、伝送モード以外でも、操作パネル２０１またはパソコン２１９で設定された伝送パラメータに従って、動作制御部２０２はシングルＱＡＭ方式処理部２０７、ＯＦＤＭ方式処理部２０８、アナログ方式処理部２０９を制御する。なお、伝送モード以外で操作パネル２０１またはパソコン２１９により設定された伝送パラメータに従って動作するシングルＱＡＭ方式処理部２０７、ＯＦＤＭ方式処理部２０８、アナログ方式処理部２０９の構成については、後で詳述する。
【００１６】
以下、操作パネル１０１、２０１またはパソコン１１９、２１９で設定された伝送パラメータに従って動作する送信側伝送装置、受信側伝送装置の各信号処理部（シングルＱＡＭ方式処理部１０７、２０７、ＯＦＤＭ方式処理部１０８、２０８、アナログ方式処理部１１０、２０９）の構成、動作について、図３〜７を用いて説明する。図３は、本実施例の送信側伝送装置のシングルＱＡＭ方式処理部の構成を示すブロック図、図４は、本実施例の送信側伝送装置のＯＦＤＭ方式処理部の構成を示すブロック図、図５は、本実施例の受信側伝送装置のシングルＱＡＭ方式処理部の構成を示すブロック図、図６は、本実施例の受信側伝送装置のＯＦＤＭ方式処理部の構成を示すブロック図、図７は、標準規格ＡＲＩＢ  ＳＴＤ−Ｂ１１で規定されている伝送装置の伝送ビットレートとスタッフィングデータ（ダミーデータ）の有無の関係を示す図である。まず、送信側伝送装置の各信号処理部の構成、動作について説明する。シングルＱＡＭ方式処理部１０７は、エネルギー拡散部３０１、符号化部３０２、インターリーブ部３０３、スタッフィング挿入部３０４、ＱＡＭマッピング部３０５、直交変調部３０６より構成されている。ＭＰＥＧエンコーダ１０９より出力されたＴＳ形式のデジタル信号Ｄは、入力端子３０７より入力された後、エネルギー拡散部３０１で、例えば擬似ランダム系列加算でエネルギー拡散を行い、符号化部３０２に出力される。符号化部３０２は、操作パネル１０１またはパソコン１１９で誤り訂正符号付加処理を行わせるように設定されたとき、動作制御部１０２の制御により誤り訂正符号を付加してインターリーブ部３０３に出力する。例えばＲＳ（Reed-Solomon）符号化により１８８バイトの１ＴＳパケット毎に１６バイトの誤り訂正符号を付加してインターリーブ部３０３に出力する。逆に、操作パネル１０１またはパソコン１１９で誤り訂正符号付加処理を行わないように設定されたとき、動作制御部１０２の制御により誤り訂正符号を付加せずにインターリーブ部３０３に出力する。インターリーブ部３０３は、操作パネル１０１またはパソコン１１９でインターリーブ処理を行わせるように設定されたとき、動作制御部１０２の制御によりインターリーブ処理を行ってスタッフィング挿入部３０４に出力する。即ち、符号化部３０２からの出力信号のデータの並べ替えを行ってスタッフィング挿入部３０４に出力する。逆に、操作パネル１０１またはパソコン１１９でインターリーブ処理を行わせないように設定されたとき、動作制御部１０２の制御により符号化部３０２からの出力信号のデータの並べ替えを行わずにスタッフィング挿入部３０４に出力する。スタッフィング挿入部３０４は、非特許文献２（テレビジョン放送番組素材伝送用可搬形マイクロ波帯デジタル無線伝送システムの規格ＡＲＩＢ  ＳＴＤ−Ｂ１１）により、図７の通り、操作パネル１０１またはパソコン１１９で設定された伝送ビットレートによってダミーデータ挿入の有無が決まるため、ダミーデータの挿入が必要な伝送ビットレートの場合、動作制御部１０２の制御によりダミーデータを付加してＱＡＭマッピング部３０５に出力する。逆に、ダミーデータの挿入が不必要な伝送ビットレートの場合、動作制御部��０２の制御によりダミーデータを付加することなくＱＡＭマッピング部３０５に出力する。ＱＡＭマッピング部３０５は、動作制御部１０２の制御により操作パネル１０１またはパソコン１１９で設定された変調モードに従ってマッピング処理を行う。例えば、変調モードが６４ＱＡＭの場合、同相成分の信号Ｉと直交成分の信号Ｑで表されるＩ−Ｑ座標軸上に６４ポイントのマッピングを行う。マッピングを行った後、直交変調部３０６で、例えば周波数１３０ＭＨｚのＩＦ信号に変換して出力端子３０８に出力する。出力端子３０８に出力されたＩＦ信号は送信高周波部１１４に出力される。
【００１７】
以上のように、送信側伝送装置において、シングルＱＡＭ方式の場合、誤り訂正符号の付加の有無、インターリーブ処理の有無、伝送ビットレート、変調モードが操作パネル１０１またはパソコン１１９で設定され、この設定された伝送パラメータに従ってシングルＱＡＭ方式処理部１０７は動作するように動作制御部１０２により制御される。そして、設定された誤り訂正符号の付加の有無、インターリーブ処理の有無、伝送ビットレート、変調モードについては、表示制御部１１７の制御により、操作パネル１０１及びパソコン１１９に表示される。
【００１８】
ＯＦＤＭ方式処理部は、スクランブル処理部４０１、エネルギー拡散部４０２、符号化部４０３、インターリーブ部４０４、マッピング部４０５、フレーム生成部４０６、ＩＦＦＴ（Inverse Fast Fourier Transform）部４０７、ガード付加部４０８、直交変調部４０９より構成されている。ＭＰＥＧエンコーダ１０９より出力されたＴＳ形式のデジタル信号Ｄは、入力端子４１０より入力された後、スクランブル処理部４０１に入力される。スクランブル処理部４０１は、操作パネル１０１またはパソコン１１９でスクランブル処理（撹拌処理）するように設定されたとき、動作制御部１０２の制御によりスクランブル処理を行って、エネルギー拡散部４０２に出力する。逆に、操作パネル１０１またはパソコン１１９でスクランブル処理を行わないように設定されたとき、動作制御部１０２の制御によりスクランブル処理を行わずにエネルギー拡散部４０２に出力する。エネルギー拡散部４０２は、例えば擬似ランダム系列加算でエネルギー拡散を行い、符号化部４０３に出力する。符号化部４０３は、操作パネル１０１またはパソコン１１９で所定の符号化率で誤り訂正符号を付加するように設定されたとき、動作制御部１０２の制御により設定された符号化率で畳み込み符号化してインターリーブ部４０４に出力する。逆に、操作パネル１０１またはパソコン１１９で誤り訂正符号を付加しないように設定されたとき、動作制御部１０２の制御により誤り訂正符号を付加せずインターリーブ部４０４に出力する。インターリーブ部４０４は、操作パネル１０１またはパソコン１１９で設定されたインターリーブ時間でインターリーブ処理を行わせるように動作制御部１０２の制御によりインターリーブ処理を行ってマッピング部４０５に出力する。即ち、符号化部４０３からの出力信号のデータの並べ替えを、操作パネル１０１またはパソコン１１９で設定されたインターリーブ時間で行ってマッピング部４０５に出力する。マッピング部４０５は、動作制御部１０２の制御により操作パネル１０１またはパソコン１１９で設定されたキャリア変調モードに従ってマッピングを行う。例えば、キャリア変調モードが６４ＱＡＭの場合、各キャリアに割り当てる６ビットのデータを指定することにより、同相成分の信号Ｉと直交成分の信号Ｑで表されるＩ−Ｑ座標軸上に６４ポイントのマッピングを行う。マッピングを行った後、フレーム生成部４０６でＯＦＤＭフレームを生成する。フレーム生成部４０６は、ＯＦＤＭフレームを生成するにあたり、操作パネル１０１またはパソコン１１９で、連絡データ等の付加情報を伝送するキャリアであるＡＣキャリアを使用するように設定されたとき、動作制御部１０２の制御によりＯＦＤＭフレーム内のＡＣキャリアに連絡データ等の付加情報を付加する。逆に、連絡データ等の付加情報を伝送しないことにより、ＡＣキャリアを使用しないように設定されたとき、動作制御部１０２の制御により、ＯＦＤＭフレーム内のＡＣキャリアをＮｕｌｌキャリアに置き換える。なお、ＯＦＤＭフレームはマッピング部４０５出力のデータを伝送するキャリアであるＤａｔａキャリアの他に、ＡＣキャリアを有する場合が有り、非特許文献１（テレビジョン放送番組素材伝送用可搬形ＯＦＤＭ方式デジタルシステムの規格ＡＲＩＢ  ＳＴＤ−Ｂ３３）に記載の通り、ＡＣキャリアは連絡データ等の付加情報を伝送するキャリアである。従って、連絡データ等の付加情報を伝送する場合にはＡＣキャリアを使用するように操作パネル１０１またはパソコン１１９で設定する。生成されたＯＦＤＭフレームは、ＩＦＦＴ部４０７で逆高速フーリエ変換することで時間軸波形に変換し、ガード付加部４０８に出力する。ガード付加部４０８は時間軸波形の各有効シンボルの先頭にガードインターバル（各有効シンボルの末尾を含む所定期間の時間軸波形）を付加することによりＯＦＤＭ信号を生成する。なお、ガードインターバルを付加するにあたり、動作制御部１０２の制御により操作パネル１０１またはパソコン１１９で設定されたガードインターバル比に従ってガードインターバルが付加される。ガード付加部４０８で生成されたＯＦＤＭ信号は、直交変調部４０９で、例えば周波数１３０ＭＨｚのＩＦ信号に変換して出力端子４１１に出力する。出力端子４１１に出力されたＩＦ信号は送信高周波部１１４に出力される。
【００１９】
以上のように、送信側伝送装置において、ＯＦＤＭ方式の場合、スクランブル処理の有無、誤り訂正符号の付加の有無及び誤り訂正符号を付加したときの符号化率、インターリーブ時間、変調モード、ＡＣキャリアの使用の有無、ガードインターバル比が操作パネル１０１またはパソコン１１９で設定され、この設定された伝送パラメータに従ってＯＦＤＭ方式処理部１０８が動作するよう動作制御部１０２に制御される。そして、設定されたスクランブル処理の有無、誤り訂正の付加の有無及び誤り訂正符号を付加したときの符号化率、インターリーブ時間、変調モード、ＡＣキャリアの使用の有無、ガードインターバル比については、表示制御部１１７の制御により、操作パネル１０１及びパソコン１１９に表示される。
【００２０】
アナログ方式処理部１１０は、アナログＦＭ変調部で構成されており、アナログＦＭ変調部はＮＴＳＣ映像信号とアナログ音声信号をＦＭ変調することで、例えば周波数１３０ＭＨｚのＩＦ信号に変換して出力する。そして、伝送パラメータとして、チャンネル、送信出力が操作パネル１０１で設定され、この設定されたチャンネル、送信出力に従って、ＲＦ信号が送信される。そして、設定されたチャンネル、送信出力については、表示制御部１１７の制御により、操作パネル１０１及びパソコン１１９に表示される。また、伝送モードがシングルＱＡＭ方式、ＯＦＤＭ方式の場合も同様にして、チャンネル、送信出力も操作パネル１０１で設定され、この設定されたチャンネル、送信出力に従って、ＲＦ信号が送信される。そして、設定されたチャンネル、送信出力については、表示制御部１１７の制御により、操作パネル１０１及びパソコン１１９に表示される。
【００２１】
次に、受信側伝送装置での各信号処理部（シングルＱＡＭ方式処理部２０７、ＯＦＤＭ方式処理部２０８、アナログ方式処理部２０９）の構成、動作について説明する。シングルＱＡＭ方式処理部２０７は、直交復調部５０１、波形等化部５０２、スタッフィング除去部５０３、デインターリーブ部５０４、復号化部５０５、エネルギー逆拡散部５０６より構成されている。Ａ／Ｄコンバータ２１２より出力されたＩＦ信号が入力端子５０７より入力された後、直交復調部５０１に出力される。直交復調部５０１は、動作制御部２０２の制御により操作パネル２０１またはパソコン２１９で設定された復調モードに従って、直交変調部３０６で直交変調された信号を同相成分のＩ信号と直交成分のＱ信号に復調して波形等化部５０２に出力する。例えば、復調モードが６４ＱＡＭの場合、６４ＱＡＭで復調することで得た同相成分のＩ信号と直交成分のＱ信号を波形等化部５０２に出力する。波形等化部５０２は、ＱＡＭ変調方式などの振幅変調を含む方式の場合、伝送路の特性や減衰のため、伝送される信号の波形が歪むので、この歪を除去するための波形等化を行うものである。この波形等化部５０２は、一般的にデジタルフィルタで構成される。波形等化が行われた後、スタッフィング除去部５０３に入力されることにより、ダミーデータが挿入されている場合にはダミーデータが除去される。なお、操作パネル１０１またはパソコン１１９で設定された伝送ビットレートによってダミーデータが挿入されているか否かが決まるため、ダミーデータが挿入される場合の伝送ビットレートに設定されていたとき、動作制御部２０２の制御により、送信側伝送装置のスタッフィング挿入部３０４で付加されたダミーデータを除去して、デインターリーブ部５０４に出力する。逆に、ダミーデータが挿入されない場合の伝送ビットレートに設定されていたとき、動作制御部２０２の制御により、ダミーデータがないことでデータの除去処理を行わずデインターリーブ部５０４に出力する。デインターリーブ部５０４は、操作パネル２０１またはパソコン２１９でデインターリーブ処理を行うように設定されたとき、動作制御部２０２の制御によりデインターリーブ処理を行うことで、送信側伝送装置のインターリーブ部３０３でインターリーブされる前の信号配列に戻し、復号化部５０５に出力する。逆に、操作パネル２０１またはパソコン２１９でデインターリーブ処理を行わないように設定されたとき、動作制御部２０２の制御によりデインターリーブ処理を行わずに復号化部５０５に出力する。復号化部５０５は、操作パネル２０１またはパソコン２１９で誤り訂正処理を行うように設定されたとき、動作制御部２０２の制御により送信側伝送装置の符号化部３０２で付加された誤り訂正符号を用いて誤り訂正処理を行い、エネルギー逆拡散部５０６に出力する。逆に、操作パネル２０１またはパソコン２１９で誤り訂正を行わないように設定されたとき、動作制御部２０２の制御により誤り訂正処理を行わずにエネルギー逆拡散部５０６に出力する。エネルギー逆拡散部５０６では、エネルギー逆拡散が行われることにより元のＴＳ形式のデジタル信号Ｄに戻され、出力端子５０８に出力される。出力端子５０８に出力されたＴＳ形式のデジタル信号Ｄは、ＭＰＥＧデコーダ２１３に出力される。
【００２２】
以上のように、受信側伝送装置において、シングルＱＡＭ方式の場合、復調モード、伝送ビットレート、デインターリーブ処理の有無、誤り訂正処理の有無が操作パネル２０１またはパソコン２１９で設定され、この設定された伝送パラメータに従ってシングルＱＡＭ方式処理部２０７は動作するよう動作制御部２０２に制御される。そして、設定された復調モード、伝送ビットレート、デインターリーブ処理の有無、誤り訂正処理の有無は、表示制御部２１７の制御により、操作パネル２０１及びパソコン２１９に表示される。この表示により、伝送パラメータの設定の際、操作パネル２０１及びパソコン２１９に表示された伝送パラメータを送信側伝送装置で設定された伝送パラメータと一致させるように操作者は設定する。
【００２３】
また、先に説明したように、直交復調部５０１は、操作パネル２０１またはパソコン２１９で設定された復調モードで、直交変調された信号を同相成分のＩ信号と直交成分のＱ信号に復調するが、非特許文献２（テレビジョン放送番組素材伝送用可搬形マイクロ波帯デジタル無線伝送システムの規格ＡＲＩＢ  ＳＴＤ−Ｂ１１）では、送信側伝送装置の変調モード等の情報を有するＴＭＣＣ信号（Transmission and Multiplexing Configuration Control）をＴＳ形式のデジタル信号Ｄ（以下、ＴＳ信号と称する）に含めて送信されるように規定されていることにより、ＴＳ信号からＴＭＣＣ信号を識別することによって得た変調モード（受信側伝送装置の復調モードは送信側伝送装置の変調モードと同じである）に従って、同相成分のＩ信号と直交成分のＱ信号に復調するようにしてもよい。更に、このＴＭＣＣ信号は、変調モード以外にも、伝送ビットレート、インターリーブ処理の有無、誤り訂正符号の付加の有無の情報も重畳されるため、動作制御部２０２及び表示制御部２１７にＴＭＣＣ信号を伝送することにより、ＴＭＣＣ信号に重畳された情報に従って、シングルＱＡＭ方式処理部２０７を動作させるよう動作制御部２０２が制御すると共に、操作パネル２０１またはパソコン２１９に復調モード情報、伝送ビットレート情報、デインターリーブ処理の有無情報、誤り訂正処理の有無情報を表示させるようにしても良い。
【００２４】
ＯＦＤＭ方式処理部２０８は、直交復調部６０１、ガードインターバル検出部６０２、ＦＦＴ（Fast Fourier Transform）部６０３、波形等化部６０４、デインターリーブ部６０５、復号化部６０６、エネルギー逆拡散部６０７、デスクランブル部６０８より構成されている。Ａ／Ｄコンバータ２１２より出力されたＩＦ信号が入力端子６０９より入力された後、直交復調部６０１に入力される。直交復調部６０１は、動作制御部２０２の制御により操作パネル２０１またはパソコン２１９で設定されたキャリア復調モードに従って、直交変調部４０９で直交変調された信号を同相成分のＩ信号と直交成分のＱ信号に復調してガードインターバル検出部６０２に出力する。例えば、キャリア復調モードが６４ＱＡＭの場合、６４ＱＡＭで復調することで得た同相成分のＩ信号と直交成分のＱ信号をガードインターバル検出部６０２に出力する。ガードインターバル検出部６０２は、操作パネル２０１またはパソコン２１９で設定されたガードインターバル比に従って、動作制御部２０２の制御によりガード相関処理を行わせることで、時間軸波形の各有効シンボルの先頭を検出してＦＦＴ部６０３に出力する。例えば、ガードインターバル比が１／８のとき、Ｉ信号とＩ信号を有効シンボル（ガードインターバル長の８倍）遅延させた信号との相関値、もしくはＱ信号とＱ信号を有効シンボル（ガードインターバル長の８倍）遅延させた信号との相関値に基づいて、時間軸波形の各有効シンボルの先頭を検出してＦＦＴ部６０３に出力する。なお、相関値に基づく有効シンボルの先頭の検出については、例えば、特許文献１（特開２００３−１１５７８７号公報）に記載されていることにより公知である。ＦＦＴ部６０３は有効シンボル毎に高速フーリエ変換を行い、波形等化部６０４は、送信側伝送装置から受信側伝送装置への伝送路の特性や減衰によって発生する伝送信号の波形の歪を除去するための波形等化を行う。この波形等化部６０４は、一般にデジタルフィルタで構成される。波形等化後、デインターリーブ部６０５は、操作パネル２０１またはパソコン２１９で設定されたインターリーブ時間に基づいて、動作制御部２０２の制御によりデインターリーブ処理を行うことで、送信側伝送装置のインターリーブ部４０４でインターリーブされる前の信号配列に戻し、復号化部６０６に出力する。復号化部６０６は、操作パネル２０１またはパソコン２１９で所定の符号化率で誤り訂正処理を行うように設定されたとき、動作制御部２０２の制御により、送信側伝送装置の符号化部４０３により付加された畳み込み符号を用いて誤り訂正を行って、エネルギー逆拡散部６０７に出力する。逆に、操作パネル２０１またはパソコン２１９で誤り訂正を行わないように設定されたとき、動作制御部２０２の制御により誤り訂正処理を行わずにエネルギー逆拡散部６０７に出力する。エネルギー逆拡散部６０７はエネルギー逆拡散を行い、デスクランブル部６０８に出力する。デスクランブル部６０８は、操作パネル２０１またはパソコン２１９でデスクランブル処理するように設定されたとき、動作制御部２０２の制御によりデスクランブル解除が行われることで、元のＴＳ信号に戻され、出力端子６１０に出力される。逆に、操作パ��ル２０１またはパソコン２１９でデスクランブル処理を行わないように設定されたとき、動作制御部２０２の制御によりデスクランブル処理を行わないで出力端子６１０に出力される。デスクランブル処理を行わずに出力された場合も、前段のエネルギー逆拡散部６０７で元のＴＳ信号に戻される。出力端子６１０に出力されたＴＳ信号は、ＭＰＥＧデコーダ２１３に出力される。
【００２５】
以上のように、受信側伝送装置において、ＯＦＤＭ方式の場合、復調モード、ガードインターバル比、インターリーブ時間、誤り訂正処理の有無及び誤り訂正処理有りの場合での符号化率、デスクランブル処理の有無が操作パネル２０１またはパソコン２１９で設定され、この設定された伝送パラメータに従ってＯＦＤＭ方式処理部２０８は動作するよう動作制御部２０２に制御される。そして、設定された復調モード、ガードインターバル比、インターリーブ時間、誤り訂正処理の有無及び誤り訂正処理有りの場合の符号化率、デスクランブル処理の有無は、表示制御部２１７の制御により、操作パネル２０１及びパソコン２１９に表示される。この表示により、伝送パラメータの設定の際、操作パネル２０１及びパソコン２１９に表示された伝送パラメータを送信側伝送装置で設定された伝送パラメータと一致させるように操作者は設定する。
【００２６】
アナログ方式処理部２０９は、アナログＦＭ復調部で構成されており、アナログＦＭ復調部は例えば周波数１３０ＭＨｚのＩＦ信号をＦＭ復調することで、ＮＴＳＣ映像信号とアナログ音声信号に変換して出力する。そして、伝送パラメータとして、チャンネルが操作パネル２０１で設定され、この設定されたチャンネルに従って、ＲＦ信号が受信される。そして、設定されたチャンネルについては、表示制御部２１７の制御により、操作パネル２０１及びパソコン２１９に表示される。また、伝送モードがシングルＱＡＭ方式、ＯＦＤＭ方式の場合も同様にして、チャンネルも操作パネル２０１で設定され、この設定されたチャンネルに従って、ＲＦ信号が受信される。そして、設定されたチャンネルについては、表示制御部１１７の制御により、操作パネル１０１及びパソコン１１９に表示される。
【００２７】
以上のように、送信側伝送装置、受信側伝送装置で設定される各伝送パラメータは、それぞれ図８、図９の通りである。そして、この各伝送パラメータの設定に関し、例えば、送信側伝送装置をヘリコプタに搭載し、受信側伝送装置を基地局に設置して運用する場合、送信側伝送装置の送信出力及びチャンネルについては、ヘリコプタに送信側伝送装置を搭載する前に操作者が操作パネル１０１を操作して設定し、送信側伝送装置の送信出力及びチャンネル以外の伝送パラメータについては、ヘリコプタに送信側伝送装置を搭載した後に操作者がパソコン１１９を操作して設定する。送信出力及びチャンネル以外の伝送パラメータは、送信側伝送装置、受信側伝送装置間の伝搬路の状況の良否によって設定が変わるため、送信側伝送装置をヘリコプタに搭載した後で、設定した方が良い。そして、送信側伝送装置をヘリコプタに搭載した後に伝送パラメータを設定する場合、前述の通り、送信側伝送装置は機器類が密集しているヘリコプタ後方のトランクルームに設置されることにより、操作パネル１０１を操作することによる設定では困難であるため、ヘリコプタ前方の乗務員室に設置されたパソコン１１９により設定する。
【００２８】
前述の送信側伝送装置、受信側伝送装置の各信号処理部（シングルＱＡＭ方式処理部１０７、２０７、ＯＦＤＭ方式処理部１０８、２０８、アナログ方式処理部１１０、２０９）の構成、動作説明より、操作パネル１０１、２０１で伝送パラメータを設定する設定モード（以下、操作パネル設定モードと称する）とパソコン１１９、２１９で伝送パラメータを設定する設定モード（以下、リモート設定モードと称する）とが有り、両設定モードの内、いずれかの設定モードで設定された伝送パラメータが、操作パネル１０１、２０１の表示部及びパソコン１１９、２１９に表示される。そして、設定モードの切換については、即ち、操作パネル設定モードで設定するかそれともリモート設定モードで設定するかの切換については、設定モード切換部１１６、２１６内のスイッチ（スイッチの詳細については、後で詳述する）で行う。
【００２９】
以下、設定モードの切換について、図１０、図１１を用いて説明する。図１０は、送信側伝送装置の操作パネル１０１、設定モード切換部１１６の構成を示すブロック図、図１１は、受信側伝送装置の操作パネル２０１、設定モード切換部２１６の構成を示すブロック図である。まず、送信側伝送装置の場合での設定モードの切換について、説明する。設定モード切換部１１６の各選択部１００１（伝送モード選択部１００１ａ、プリセットデータ選択部１００１ｂ）には、操作パネル１０１の各設定用ツマミ１００２（伝送モード設定用ツマミ１００２ａ、プリセット値設定用ツマミ１００２ｂ）で設定された伝送パラメータ情報と、パソコン１１９で設定された伝送パラメータ情報が入力される。なお、プリセット値設定用ツマミ１００２ｂでプリセット値を設定することにより、メモリ（例えば、ＥＥＰＲＯＭ（Electricity Erasable Programmable Read-only Memory））１００６にはプリセット値と各伝送パラメータ（伝送モード、チャンネル、送信出力以外の伝送パラメータ）との関係のデータテーブルがあらかじめ記憶されているため、ＣＰＵ１００７はプリセット値に対応する各伝送パラメータをプリセットデータ選択部１００１ｂに送出する。
【００３０】
また、リモート設定スイッチ１００３（本実施例では、リモート設定スイッチ１００３は設定モード切換部１１６内にあるが、操作パネル１０１にあっても良い）で設定された各伝送パラメータの設定モード情報は、伝送モード選択部１００１ａ、プリセットデータ選択部１００１ｂに入力される。そして、各選択部１００１（伝送モード選択部１００１ａ、プリセットデータ選択部１００１ｂ）は、対応する伝送パラメータの設定モード情報（伝送モード選択部１００１ａ、プリセットデータ選択部１００１ｂに各々入力される伝送パラメータの設定モード情報）に基づき、操作パネル１０１で設定された伝送パラメータとパソコン１１９で設定された伝送パラメータの内の一方を選択する。
【００３１】
例えば、伝送モード選択部１００１ａに入力される設定モード情報が操作パネル設定モードである旨の情報であるとき、操作パネル１０１で設定された伝送モードを伝送モード選択部１００１ａは選択する。逆に、伝送モード選択部１００１ａに入力される設定モード情報がリモコン設定モードである旨の情報であるとき、パソコン１１９で設定された伝送モードを伝送モード選択部１００１ａは選択する。
【００３２】
そして、選択した伝送パラメータ情報が各選択部１００１（伝送モード選択部１００１ａ、プリセットデータ選択部１００１ｂ）から動作制御部１０２と表示制御部１１７に出力される。また、操作パネル１０１のチャンネル設定用ツマミ１００２ｃで設定されたチャンネル情報、送信出力設定用ツマミ１００２ｄで設定された送信出力情報も動作制御部１０２と表示制御部１１７に出力される。動作制御部１０２は、各選択部１００１（伝送モード選択部１００１ａ、プリセットデータ選択部１００１ｂ）が選択した伝送パラメータ情報、チャンネル設定用ツマミ１００２ｃで設定されたチャンネル情報、送信出力設定用ツマミ１００２ｄで設定された送信出力情報に基づいて、前述の通り、各信号処理部（シングルＱＡＭ方式処理部１０７、ＯＦＤＭ方式処理部１０８、アナログ方式処理部１１０）を制御する。
【００３３】
一方、表示制御部１１７は、各選択部１００１（伝送モード選択部１００１ａ、プリセットデータ選択部１００１ｂ）が選択した伝送パラメータ情報、チャンネル設定用ツマミ１００２ｃで設定されたチャンネル情報、送信出力設定用ツマミ１００２ｄで設定された送信出力情報を操作パネル１０１の表示部１００４及びパソコン１１９に表示させる。更に、表示制御部１１７には、リモート設定スイッチ１００３からの各伝送パラメータの設定モード情報（操作パネル設定モードかリモコン設定モードであるかの情報）も入力されることにより、各伝送パラメータを操作パネル１０１の表示部１００４及びパソコン１１９に表示させるように表示制御部１１７が制御する際、設定モード情報に応じて伝送パラメータの表示形態を切り換えて表示させる。例えば、リモコン設定モードのときは先頭に＊を付けて伝送パラメータを表示させるのに対し、操作パネル設定モードのときは先頭に＊を付けずに伝送パラメータを表示させることで、操作パネル１０１の表示部１００４及びパソコン１１９に表示された各伝送パラメータは、操作パネル設定モードで設定されるかリモート設定モードで設定されるかを操作者が把握することができる。その結果、例えば、送信側伝送装置をヘリコプタに搭載し、受信側伝送装置を基地局に設置して運用する場合、送信側伝送装置をヘリコプタに搭載する前に、送信側伝送装置の各伝送パラメータの設定モードを確認することができる。
【００３４】
各伝送パラメータの設定モードに関し、ヘリコプタ搭載前の事前確認が可能となったことにより、ヘリコプタ搭載後の伝送パラメータの設定をパソコン１１９から行うようにすることができる。更に、リモート設定モードである場合、設定モード切換部１１６内のパラレル／シリアル切換部１００５により、パソコン１１９出力の各伝送パラメータ情報がパラレル出力されるかシリアル出力されるかについての情報も表示制御部１１７に送出される。この送出により、表示制御部１１７は、パソコン１１９で設定された伝送パラメータを表示させるとき、この伝送パラメータはパラレル出力されたものかシリアル出力されたものであるかについても、操作パネル１０１の表示部１００４及びパソコン１１９に表示させるよう制御する。
【００３５】
以上、送信側伝送装置での設定モードの切換について説明したが、受信側伝送装置の設定モードの切換についても同様にして、図１１の通り、各選択部１１０１（伝送モード選択部１１０１ａ、プリセットデータ選択部１１０１ｂ）が対応する伝送パラメータの設定モード情報（リモート設定スイッチ１１０３で設定される設定モード情報）に基づいて、操作パネル２０１の各設定用ツマミ（伝送モード設定用ツマミ１１０２ａ、プリセット値設定用ツマミ１１０２ｂ）で設定された伝送パラメータとパソコン２１９で設定された伝送パラメータの内の一方を選択する（プリセット値設定用ツマミ１１０２ｂでプリセット値を設定することにより、メモリ（例えば、ＥＥＰＲＯＭ（Electricity Erasable Programmable Read-only Memory））１１０６にはプリセット値と伝送モード、チャンネル以外の各伝送パラメータとの関係のデータテーブルがあらかじめ記憶されているため、ＣＰＵ１１０７は設定したプリセット値に対応する各伝送パラメータをプリセットデータ選択部１１０１ｂに送出する）。そして、各選択部１１０１（伝送モード選択部１１０１ａ、プリセットデータ選択部１１０１ｂ）が選択した伝送パラメータ情報、チャンネル設定用ツマミ１１０２ｃで設定されたチャンネル情報に基づいて、動作制御部２０２は各信号処理部（シングルＱＡＭ方式処理部２０７、ＯＦＤＭ方式処理部２０８、アナログ方式処理部２０９）を制御する。一方、表示制御部２１７は、各選択部１１０１（伝送モード選択部１１０１ａ、プリセットデータ選択部１１０１ｂ）が選択した伝送パラメータ情報、チャンネル設定用ツマミ１１０２ｃで設定されたチャンネル情報を操作パネル２０１の表示部１１０４及びパソコン２１９に表示させる。更に、表示制御部２１７には、各伝送パラメータの設定モード情報（操作パネル設定モードであるかリモコン設定モードであるかの情報）も入力されることにより、各伝送パラメータを操作パネル２０１の表示部１１０４及びパソコン２１９に表示させるように表示制御部２１７が制御する際、設定モード情報に応じて伝送パラメータの表示形態を切り換えて表示させることで、例えば、リモート設定モードのときは先頭に＊を付けて伝送パラメータを表示させるのに対し、操作パネル設定モードのときは先頭に＊を付けずに伝送パラメータを表示させることで、操作パネル２０１の表示部１１０４及びパソコン２１９に表示された各伝送パラメータは、操作パネル２０１で設定されたかそれともパソコン２１９で設定されたかを操作者が把握することができる。更に、リモコン設定モードである場合、設定モード切換部２１６内のパラレル／シリアル切換部１１０５により、パソコン２１９出力の各伝送パラメータ情報がパラレル出力されるかシリアル出力されるかについての情報も表示制御部２１７に送出される。この送出により、表示制御部２１７は、操作パネル２０１の表示部１１０４及びパソコン２１９に、パソコン２１９で設定された伝送パラメータを表示させるとき、この伝送パラメータはパラレル出力されたものかシリアル出力されたものであるかについても表示させるよう制御する。
【００３６】
以下、操作パネル１０１、２０１またはパソコン１１９、２１９による伝送パラメータの設定について、図１２〜図２２を用いて説明する。図１２は、送信側伝送装置の操作パネル外観を示す図、図１３は、受信側伝送装置の操作パネル外観を示す図、図１４は、送信側伝送装置及び受信側伝送装置の伝送モードがシングルＱＡＭ方式である場合での、各プリセット値と各伝送パラメータとの関係の一例を示す図、図１５は、送信側伝送装置及び受信側伝送装置の伝送モードがＯＦＤＭ方式である場合での、各プリセット値と各伝送パラメータとの関係の一例を示す図、図１６は、送信側伝送装置及び受信側伝送装置の伝送モードをＯＦＤＭ方式に設定した場合で操作パネルに表示される伝送パラメータの項目を示す図である。図１７は、送信側伝送装置及び受信側伝送装置の伝送モードをＯＦＤＭ方式に設定した場合で操作パネルに表示される伝送パラメータを示す図、図１８は、送信側伝送装置及び受信側伝送装置の伝送モードをシングルＱＡＭ方式に設定した場合での、伝送パラメータ設定時のパソコンの表示画面を示す図、図１９は、送信側伝送装置及び受信側伝送装置の伝送モードをＯＦＤＭ方式に設定した場合での、伝送パラメータ設定時のパソコンの表示画面を示す図、図２０は、送信側伝送装置及び受信側伝送装置の伝送モードがシングルＱＡＭ方式のときに設定された伝送パラメータがパソコンに表示されたときの表示画面を示す図、図２１は、送信側伝送装置及び受信側伝送装置の伝送モードがＯＦＤＭ方式のときに設定された伝送パラメータがパソコンに表示されたときの表示画面を示す図、図２２は、パソコンによりプリセット値と各伝送パラメータとの関係を設定するときの表示画面（プリセット表示画面）を示す図である。まず、送信側伝送装置の操作パネル１０１で伝送パラメータを設定する場合で説明する。送信側伝送装置の操作パネル１０１は、図１２の通り、伝送パラメータを表示する表示部１００４（図１０に記載の表示部１００４）と、表示部１００４の表示項目を切り換えるＵＰスイッチ１２０１及びＤＯＷＮスイッチ１２０２と、各伝送パラメータを設定する設定用ツマミ１００２（図１０に記載の設定用ツマミ１００２）を有している。そして、各伝送パラメータを設定するツマミ１００２として、伝送モード設定用ツマミ１００２ａ、プリセット値設定用ツマミ１００２ｂ、チャンネル設定用ツマミ１００２ｃ、送信出力設定用ツマミ１００２ｄを有している。プリセット値設定用ツマミ１００２ｂにより、図８で右上に＊の付いた項目の伝送パラメータを設定する。プリセット値設定用ツマミ１００２ｂは、図１２の通り、プリセット値として１〜１１の値を有しているが、各プリセット値と各伝送パラメータとの関係のデータテーブルがあらかじめ設定モード切換部１１６内のメモリ１００６に記憶されている。例えば、シングルＱＡＭ方式の場合では図１４の様に、ＯＦＤＭ方式の場合では図１５の様にあらかじめメモリ１００６に各プリセット値と各伝送パラメータとの関係のデータテーブルが記憶されている。従って、プリセット値設定用ツマミ１００２ｂを操作してプリセット値が所定値となるように設定することにより、各伝送パラメータが設定される。そして、プリセット値設定用ツマミ１００２ｂで設定された各伝送パラメータは、表示制御部１１７により、伝送モード設定用調整ツマミ１００２ａ、チャンネル設定用調整ツマミ１００２ｃ、送信出力設定用調整ツマミ１００２ｄで設定された各伝送パラメータと共に表示部１００４及びパソコン１１９に表示される。なお、表示部１００４の表示スペースが限られていることにより、全ての伝送パラメータを同時に表示せず、ＵＰスイッチ１２０１、ＤＯＷＮスイッチ１２０２に対して所定の操作を行ったときに、表示部１００４に表示する伝送パラメータの項目を切り換えるようにする。例えば、伝送モード設定用調整ツマミ１００２ａを操作することにより伝送モードをＯＦＤＭ方式に設定した場合、図１６、図１７の通り、ＵＰスイッチ１２０１、ＤＯＷＮスイッチ１２０２の操作によって、表示する伝送パラメータの項目が切り換わる。なお、プリセット値設定用ツマミ１００２ｂで設定される各伝送パラメータに関し、操作パネル設定モードであることにより、プリセット値設定用ツマミ１００２ｂで設定された各伝送パラメータが表示される。そして、先頭に＊を付けずに伝送パラメータが表示部１００４に表示される。また、パソコン１１９にもプリセット値設定用ツマミ１００２ｂで設定された各伝送パラメータが表示されるが、表示部１００４の表示形態と同様にして、先頭に＊を付けずに伝送パラメータが表示される（パソコン１１９での表示画面については、後で詳述する）。
【００３７】
次に、パソコン１１９で送信側伝送装置の伝送パラメータを設定する場合について説明する。パソコン１１９は、伝送パラメータ設定時において、伝送モードがシングルＱＡＭ方式に設定された場合には図１８の通り、伝送モードがＯＦＤＭ方式に設定された場合には図１９の通り、あらかじめ記憶されている各プリセット値と各伝送パラメータとの関係を示すデータテーブル１８０１、１９０１が表示される（データテーブル１８０１、１９０１に示すＩＬＶ等の略称とこれらの略称と対応する各伝送パラメータの項目との関係は、図８、図９の通りである）と共に、プリセット値入力欄１８０２、１９０２、書き込みボタン１８０３、１９０３が表示される。プリセット値入力欄１８０２、１９０２に所定のプリセット値を入力した後、書き込みボタン１８０３、１９０３をマウスでクリックすることにより、伝送モード情報と、所定のプリセット値での各伝送パラメータ情報とが送信側伝送装置の設定モード切換部１１６内の各選択部１００１（伝送モード選択部１００１ａ、プリセットデータ選択部１００１ｂ）に送出される。そして、リモート設定モードであることにより、送出された伝送モード情報と所定のプリセット値での各伝送パラメータ情報とが各選択部１００１（伝送モード選択部１００１ａ、プリセットデータ選択部１００１ｂ）で選択される。その結果、表示制御部１１７により、選択された伝送モード情報と所定のプリセット値での各伝送パラメータ情報が操作パネル１０１の表示部１００４に表示される。なお、パソコン１１９で設定されたことにより、表示部１００４に伝送パラメータを表示する際、図１７の通り、先頭に＊が付いて表示される。そして、パソコン１１９で設定された伝送パラメータに関し、パラレル出力されたものかシリアル出力されたものであるかについても表示される。また、伝送パラメータは表示部１００４に表示されるだけでなく、パソコン１１９にも表示される。前述の通り、プリセット値入力欄１８０２、１９０２に所定のプリセット値を入力した後、書き込みボタン１８０３、１９０３をマウスでクリックすると、パソコン１１９の表示画面が切り換わる。例えば、図１８、図１９に示す表示画面がそれぞれ、図２０、図２１に示す表示画面に切り換わる。図２０、図２１の通り、パソコン１１９で伝送パラメータが設定されたことにより、先頭に＊が付いて表示される。そして、パソコン１１９で設定された伝送パラメータに関し、パラレル出力されたものかシリアル出力されたものであるかについても表示される。
【００３８】
前述の通り、操作パネル１０１のプリセット値設定ツマミ１００２ｂまたはパソコン１１９で設定する各伝送パラメータについては、プリセット値を所定値とすることにより設定されるが、プリセット値と各伝送パラメータとの関係のデータテーブルについては、前述の通り、伝送パラメータ設定前にあらかじめ設定される。例えば、操作パネル１０１のプリセット値設定ツマミ１００２ｂで設定されるプリセット値と各伝送パラメータとの関係のデータテーブルについては、設定モード切換部１１６内のメモリ１００６にあらかじめ記憶させることにより、設定される。一方、パソコン１１９で設定されるプリセット値と各伝送パラメータとの関係のデータテーブルについては、図２２（ａ）、（ｂ）に示すプリセット編集画面上で、プリセット値入力欄２２０１、２２０２に所定のプリセット値を入力すると共に、各伝送パラメータの入力欄に所定の伝送パラメータを入力した後、設定ボタン２２０３、２２０４をマウスでクリックすることにより、設定される。なお、図２２（ａ）は、伝送モードがシングルＱＡＭ方式である場合のプリセット編集画面、図２２（ｂ）は、伝送モードがＯＦＤＭ方式である場合のプリセット編集画面であり、これらのプリセット編集画面は、それぞれ図１８、図１９に示す伝送パラメータ設定時の表示画面が表示されている状態で編集ボタン１７０４、１８０４をクリックすることにより表示される。
【００３９】
以上、送信側伝送装置の各伝送パラメータを、操作パネル１０１またはパソコン１１９で設定する場合について説明したが、受信側伝送装置の各伝送パラメータを、操作パネル２０１またはパソコン２１９で設定する場合も同様である。受信側伝送装置の各伝送パラメータを、操作パネル２０１で設定する場合、伝送モード設定用ツマミ１１０２ａ、プリセット値設定用ツマミ１１０２ｂ、チャンネル設定用ツマミ１１０２ｃで設定された各伝送パラメータが表示部１１０４に表示される。なお、プリセット値設定用ツマミ１１０２ｂは、図１３の通り、プリセット値として１〜１１の値を有しているが、図１４、図１５の通り、各プリセット値と各伝送パラメータとの関係のデータテーブルがあらかじめ設定されていることにより、プリセット値設定用ツマミ１１０２ｂで設定されたプリセット値に対応する伝送パラメータが表示部１１０４に表示される。伝送パラメータを表示するにあたり、表示部１１０４の表示スペースが限られていることにより、同時に全ての伝送パラメータを表示せず、ＵＰスイッチ１３０１、ＤＯＷＮスイッチ１３０２に対して所定の操作を行ったときに、表示部１１０４に表示する伝送パラメータの項目を切り換える。なお、操作パネル設定モードであることにより、図１７に示す表示形態と異なり、先頭に＊を付けることなく、伝送パラメータを表示する。
【００４０】
一方、受信側伝送装置の各伝送パラメータを、パソコン２１９で設定する場合、伝送パラメータ設定時には、図１８、図１９の通り、データテーブル１８０１、１９０１、プリセット値入力欄１８０２、１９０２、書き込みボタン１８０３、１９０３が表示されていることにより、プリセット値入力欄１８０２、１９０２に所定のプリセット値を入力した後、書き込みボタン１４０３、１５０３をマウスでクリックする。その結果、所定のプリセット値での各伝送パラメータが受信側伝送装置の設定モード切換部２１６内の各選択部１１０１（伝送モード選択部１１０１ａ、プリセット値選択部１１０１ｂ）に送出される。そして、リモート設定モードであることにより、送出された伝送モード情報と所定のプリセット値での各伝送パラメータ情報とが各選択部１１０１（伝送モード選択部１１０１ａ、プリセット値選択部１１０１ｂ）で選択される。その結果、表示制御部２１７により、選択された伝送モード情報と所定のプリセット値での各伝送パラメータ情報が操作パネル２０１の表示部１１０４に表示される。なお、パソコン２１９で設定されたことにより、表示部１１０４に伝送パラメータを表示する際、図１７の通り、先頭に＊が付いて表示される。そして、パソコン１１９で設定された伝送パラメータに関し、パラレル出力されたものかシリアル出力されたものであるかについても表示される。また、伝送パラメータは表示部１１０４に表示されるだけでなく、パソコン２１９にも表示される。前述の通り、プリセット値入力欄１８０２、１９０２に所定のプリセット値を入力した後、書き込みボタン１８０３、１９０３をマウスでクリックすると、パソコン２１９の表示画面が切り換わる。例えば、図１８、図１９に示す表示画面がそれぞれ、図２０、図２１に示す表示画面に切り換わる。図２０、図２１の通り、パソコン２１９で伝送パラメータが設定されたことにより、先頭に＊が付いて表示される。そして、パソコン２１９で設定された伝送パラメータに関し、パラレル出力されたものかシリアル出力されたものであるかについても表示される。
【００４１】
前述の通り、操作パネル２０１のプリセット値設定ツマミ１１０２ｂまたはパソコン１１９で設定する各伝送パラメータについては、プリセット値を所定値とすることにより設定されるが、プリセット値と各伝送パラメータとの関係のデータテーブルについては、前述の通り、伝送パラメータ設定前にあらかじめ設定される。例えば、操作パネル２０１のプリセット調整ツマミ１１０２ｂで設定されるプリセット値と各伝送パラメータとの関係のデータテーブルについては、送信側伝送装置の場合と同様にして、設定モード切換部２１６内のメモリ１１０６にあらかじめ記憶させることにより、設定される。一方、パソコン２１９で設定されるプリセット値と各伝送パラメータとの関係のデータテーブルについては、図２２（ａ）、（ｂ）に示すプリセット編集画面上で、プリセット値入力欄２２０１、２２０２に所定のプリセット値を入力すると共に、各伝送パラメータの入力欄に所定の伝送パラメータを入力した後、設定ボタン２２０３、２２０４をマウスでクリックすることにより、設定される。なお、図１８（ａ）は、伝送モードがシングルＱＡＭ方式である場合のプリセット編集画面、図１８（ｂ）は、伝送モードがＯＦＤＭ方式である場合のプリセット編集画面であり、これらのプリセット編集画面は、それぞれ図１８、図１９に示す伝送パラメータ設定時の表示画面が表示されている状態で編集ボタン１８０４、１９０４をクリックすることにより表示される。
【００４２】
以上のように、本実施例の伝送装置では、各伝送パラメータの設定を、操作パネルからだけでなく、パソコンからでも設定できるようになったことにより、送信側伝送装置をヘリコプタ後方のトランクルームに設置され、受信側伝送装置を基地局に設置して運用した場合であっても、送信側伝送装置に接続され、ヘリコプタ前方の乗務員室に設置されたパソコンを操作することで伝送パラメータを容易に設定することができる。
【００４３】
更に、伝送装置の各伝送パラメータについて、操作パネル設定モードのときとリモート設定モードのときとで表示形態が異なるように操作パネルに表示する（リモート設定モードのときは先頭に＊を付けて伝送パラメータを表示するのに対し、操作パネル設定モードのときは先頭に＊を付けないで伝送パラメータを表示する）ことにより、ヘリコプタに送信側伝送装置を搭載する前に、各伝送パラメータの設定モードを操作者が操作パネルを見て確認する（例えば、先頭に＊が付いているか否かにより各伝送パラメータの設定モードを確認する）ことができる。その結果、ヘリコプタ搭載後に行う伝送パラメータの設定をパソコンから行うようにすることができる。
【図面の簡単な説明】
【００４４】
【図１】本発明の一実施例である送信側伝送装置の構成を示すブロック図。
【図２】本発明の一実施例である受信側伝送装置の構成を示すブロック図。
【図３】本発明の一実施例である送信側伝送装置のシングルＱＡＭ方式処理部の構成を示すブロック図。
【図４】本発明の一実施例である送信側伝送装置のＯＦＤＭ方式処理部の構成を示すブロック図。
【図５】本発明の一実施例である受信側伝送装置のシングルＱＡＭ方式処理部の構成を示すブロック図。
【図６】本発明の一実施例である受信側伝送装置のＯＦＤＭ方式処理部の構成を示すブロック図。
【図７】標準規格ＡＲＩＢ  ＳＴＤ−Ｂ１１で規定されている伝送装置の伝送ビットレートとスタッフィングデータ（ダミーデータ）の有無の関係を示す図。
【図８】本発明の一実施例である送信側伝送装置で設定する伝送パラメータを示す図。
【図９】本発明の一実施例である受信側伝送装置で設定する伝送パラメータを示す図。
【図１０】本発明の一実施例である送信側伝送装置の操作パネル及び設定モード切換部の構成を示すブロック図。
【図１１】本発明の一実施例である受信側伝送装置の操作パネル及び設定モード切換部の構成を示すブロック図。
【図１２】本発明の一実施例である送信側伝送装置の操作パネル外観を示す図。
【図１３】本発明の一実施例である受信側伝送装置の操作パネル外観を示す図。
【図１４】本発明の一実施例である送信側伝送装置及び受信側伝送装置の伝送モードがシングルＱＡＭ方式である場合での、プリセット値と各伝送パラメータとの関係の一例を示す図。
【図１５】本発明の一実施例である送信側伝送装置及び受信側伝送装置の伝送モードがＯＦＤＭ方式である場合での、プリセット値と各伝送パラメータとの関係の一例を示す図。
【図１６】本発明の一実施例である送信側伝送装置の伝送モードをＯＦＤＭ方式に設定した場合で操作パネルに表示される伝送パラメータの項目を示す図。
【図１７】本発明の一実施例である受信側伝送装置の伝送モードをＯＦＤＭ方式に設定した場合で操作パネルに表示される伝送パラメータを示す図。
【図１８】本発明の一実施例である送信側伝送装置の伝送パラメータ設定時のパソコンの表示画面を示す図。
【図１９】本発明の一実施例である受信側伝送装置の伝送パラメータ設定時のパソコンの表示画面を示す図。
【図２０】本発明の一実施例である送信側伝送装置及び受信側伝送装置の伝送モードがシングルＱＡＭ方式のときに設定された伝送パラメータがパソコンに表示されたときの表示画面を示す図。
【図２１】本発明の一実施例である送信側伝送装置及び受信側伝送装置の伝送モードがＯＦＤＭ方式のときに設定された伝送パラメータがパソコンに表示されたときの表示画面を示す図。
【図２２】本発明の一実施例である送信側伝送装置及び受信側伝送装置でプリセット値を設定すれることで設定する各伝送パラメータに関し、プリセット値と各伝送パラメータとの関係をパソコンにより設定するときの表示画面を示す図。
【図２３】従来の一例である伝送装置の構成を示すブロック図。
【符号の説明】
【００４５】
１０１：操作パネル               １０２：動作制御部
１０３、１０４：アナログ／デジタル選択スイッチ
１０５、１０６：シングルＱＡＭ／ＯＦＤＭ選択スイッチ
１０７：シングルＱＡＭ方式処理部 １０８：ＯＦＤＭ方式処理部
１０９：ＭＰＥＧエンコーダ              １１０：アナログ方式処理部
１１１：オーディオＡ／Ｄ         １１２：Ｄ／Ａコンバータ
１１３：局部発振器               １１４：送信高周波部
１１６：設定モード切換部         １１７：表示制御部
１１８：ケーブル                 １１９：パソコン
２０１：操作パネル               ２０２：動作制御部
２０３、２０４：アナログ／デジタル選択スイッチ
２０５、２０６：シングルＱＡＭ／ＯＦＤＭ選択スイッチ
２０７：シングルＱＡＭ方式処理部 ２０８：ＯＦＤＭ方式処理部
２０９：アナログ方式処理部              ２１０：受信高周波部
２１１：局部発振器               ２１２：Ａ／Ｄコンバータ
２１３：ＭＰＥＧデコーダ         ２１４：オーディオＡ／Ｄ
２１６：設定モード切換部         ２１７：表示制御部
２１８：ケーブル                 ２１９：パソコン
３０１：エネルギー拡散部         ３０２：符号化部
３０３：インターリーブ部         ３０４：スタッフィング挿入部
３０５：ＱＡＭマッピング部              ３０６：直交変調部
３０７：入力端子                 ３０８：出力端子
４０１：スクランブル処理部              ４０２：エネルギー拡散部
４０３：符号化部                 ４０４：インターリーブ部
４０５：マッピング部                    ４０６：フレーム生成部
４０７：ＩＦＦＴ部               ４０８：ガード付加部
４０９：直交変調部               ４１０：入力端子
４１１：出力端子                 ５０１：直交復調部
５０２：波形等化部               ５０３：スタッフィング除去部
５０４：デインターリーブ部              ５０５：復号化部
５０６：エネルギー逆拡散部              ５０７：入力端子
５０８：出力端子                 ６０１：直交復調部
６０２：ガードインターバル付加部 ６０３：ＦＦＴ部
６０４：波形等化部               ６０５：デインターリーブ部
６０６：復号化部                 ６０７：エネルギー逆拡散部
６０８：デスクランブル部         １００１：選択部
１００１ａ：伝送モード選択部            １００１ｂ：プリセットデータ選択部
１００２：設定用ツマミ           １００２ａ：伝送モード設定用ツマミ
１００２ｂ：プリセット値設定用ツマミ    １００２ｃ：チャンネル設定用ツマミ
１００３：リモート設定スイッチ   １００４：表示部
１００５：パラレル／シリアル切換部      １００６：メモリ
１００７：ＣＰＵ                 １１０１：選択部
１１０１ａ：伝送モード選択部            １１０１ｂ：プリセットデータ選択部
１１０２：設定用ツマミ           １１０２ａ：伝送モード設定用ツマミ
１１０３：リモート設定スイッチ   １１０４：表示部
１１０５：パラレル／シリアル切換部      １１０６：メモリ
１１０７：ＣＰＵ                 １２０１：ＵＰスイッチ
１２０２：ＤＯＷＮスイッチ              １３０１：ＵＰスイッチ
１３０２：ＤＯＷＮスイッチ              １８０１、１９０１：データテーブル
１８０２、１９０２：プリセット値入力欄
１８０３、１９０３：書き込みボタン      １８０４、１９０４：編集ボタン
２２０１、２２０２：プリセット値入力欄
２２０３、２２０４：設定ボタン
【図１】
0004612532.tif 000002
【図２】
0004612532.tif 000003
【図３】
0004612532.tif 000004
【図４】
0004612532.tif 000005
【図５】
0004612532.tif 000006
【図６】
0004612532.tif 000007
【図７】
0004612532.tif 000008
【図８】
0004612532.tif 000009
【図９】
0004612532.tif 000010
【図１０】
0004612532.tif 000011
【図１１】
0004612532.tif 000012
【図１２】
0004612532.tif 000013
【図１３】
0004612532.tif 000014
【図１４】
0004612532.tif 000015
【図１５】
0004612532.tif 000016
【図１６】
0004612532.tif 000017
【図１７】
0004612532.tif 000018
【図１８】
0004612532.tif 000019
【図１９】
0004612532.tif 000020
【図２０】
0004612532.tif 000021
【図２１】
0004612532.tif 000022
【図２２】
0004612532.tif 000023
【図２３】
0004612532.tif 000024